(57)【要約】  【課題】  一つの操作面に複数の押圧領域が設定されたキートップ部を備えたラバーキー装置において、各押圧領域を押圧したときに良好なクリック感が得られるようにする。  【解決手段】  スカート部５５によって弾性支持されているラバーキー５３に荷重をかけてプリント基板６０側へ押し下げると、ある時点でスカート部５５が弾性変形して荷重が変化する。この荷重変化がユーザにクリック感を与える。ここで、四方向キー１０６における上方向の押圧領域を押圧すると、ラバーキー５３は四方向キー１０６から荷重を受けて徐々に押し下げられる。このとき、四方向キー１０６は支点Ｐを中心に矢印Ｑ方向へ回転するが、ラバーキー５３の上面（四方向キー１０６との対向面）は段差形状となっているため、四方向キー１０６はラバーキー５３に対して線接触状態を保持する。これによりラバーキー５３は傾くことなく押し下げられるため、良好なクリック感が得られる。【選択図】  図６
2007095619.tif 000002
【特許請求の範囲】
【請求項１】
本体ケースの開口部に露出する操作面を有し、この操作面において外周に沿うように複数の押圧領域が設定されたキートップ部と、
前記キートップ部の前記操作面とは反対の裏面側において前記複数の押圧領域の各々に対向するように個別に設けられ、導体からなる可動接点を有するラバーキーと、
前記各ラバーキーに設けられ、該ラバーキーが所定の押下方向へ押し下げられたときにクリック感を発生させるクリック感付与部材と、
を備え、前記キートップ部におけるいずれかの前記押圧領域が押圧されると、前記キートップ部がその押圧された押圧領域よりも中心側を支点としてその押圧方向へ回転して、その押圧領域に対応した前記ラバーキーが前記キートップ部から荷重を受けて押し下げられると共にそのラバーキーが有する前記可動接点が予め固定設置された固定接点に当接するよう構成されており、
前記ラバーキーにおける前記キートップ部の裏面と対向する対向面、又は、前記キートップ部の裏面における前記ラバーキーと対向する部位には、前記押圧領域が押圧されたときに対応する前記ラバーキーの前記対向面の中心部又は中心部近傍に前記キートップ部からの荷重がかかるようにするための中心部荷重伝達手段が設けられている
ことを特徴とするラバーキー装置。
【請求項２】
請求項１記載のラバーキー装置であって、
前記中心部荷重伝達手段は、前記ラバーキーの前記対向面に設けられている
ことを特徴とするラバーキー装置。
【請求項３】
請求項２記載のラバーキー装置であって、
前記中心部荷重伝達手段は、前記対向面の中心部から前記キートップ部に向けて突設された凸部であり、
前記キートップ部の前記押圧領域が押圧されたとき、対応する前記ラバーキーに形成された前記凸部の先端に前記キートップ部の裏面が当接する
ことを特徴とするラバーキー装置。
【請求項４】
請求項２記載のラバーキー装置であって、
前記中心部荷重伝達手段は、前記対向面においてその中心部を含む一定長の領域から前記キートップ部に向けて突設されたリブ部であり、そのリブ部は、対応する前記押圧領域が押圧されて前記キートップ部が前記回転したときにその長さ方向全体に渡って前記キートップ部の裏面が当接するように設けられている
ことを特徴とするラバーキー装置。
【請求項５】
請求項２記載のラバーキー装置であって、
前記対向面は、前記中心部荷重伝達手段としての、円弧部分が前記キートップ部の中心側へ向くように形成された半円形状の半円対向面を有しており、
前記キートップ部の前記押圧領域が押圧されて前記キートップ部が前記回転したとき、対応する前記ラバーキーの前記半円対向面のうち、その半円の直径に相当する直線状の外周部に前記キートップ部の裏面が当接する
ことを特徴とするラバーキー装置。
【請求項６】
請求項３〜５いずれかに記載のラバーキー装置であって、
前記ラバーキーは、前記キートップ部によって押し下げられたときに、そのキートップ部の裏面が当該ラバーキーの前記中心部荷重伝達手段のみに当接するよう構成されている
ことを特徴とするラバーキー装置。
【請求項７】
請求項５記載のラバーキー装置であって、
前記対向面は、前記半円対向面と、その半円対向面以外の面であって前記キートップ部からの距離が前記半円対向面よりも離れた位置にある低域面とにより構成されている
ことを特徴とするラバーキー装置。
【請求項８】
請求項７記載のラバーキー装置であって、
前記半円対向面及び前記低域面はいずれも前記押下方向に垂直であり、
前記キートップ部が前記回転していずれかの前記ラバーキーが押し下げられたときの回転角をα、前記ラバーキーの前記半円対向面における直線部分の中心点と前記低域面における円弧状の外周部とを結ぶ直線が前記回転前の前記キートップ部の裏面となす角を傾斜角βとしたとき、前記ラバーキーは、前記傾斜角βが前記回転角αよりも大きくなるように形成されている
ことを特徴とするラバーキー装置。
【請求項９】
請求項１〜８いずれかに記載のラバーキー装置を備え、
前記キートップ部の前記複数の押圧領域のいずれかを押圧することで、各押圧領域に対応した機能が選択されるよう構成されていることを特徴とする携帯端末。
【請求項１０】
請求項１〜８いずれかに記載のラバーキー装置を備えた画像処理装置であって、
少なくとも、原稿を読み取る原稿読み取り機能と、入力された画像データが表す画像を記録媒体へ記録する画像記録機能とを備え、
前記キートップ部の前記複数の押圧領域のいずれかを押圧することで、当該画像処理装置が有する機能のうちその押圧した押圧領域に対応付けられた機能が選択されるよう構成されている
ことを特徴とする画像処理装置。
【発明の詳細な説明】
【技術分野】
【０００１】
本発明は、外周に沿うように複数の押圧領域が設定された操作面を有するキートップ部を備え、各押圧領域を押圧することで、各押圧領域の裏側にそれぞれ配置されたラバーキーが押し下げられるよう構成されたラバーキー装置と、このラバーキー装置を備えた携帯端末及び画像処理装置に関する。
【背景技術】
【０００２】
従来より、この種のラバーキー装置は、ファクシミリ装置や電話機などの各種電子機器に搭載され、各押圧領域毎に設定された機能或いは選択項目等の中から一つを選択するためのいわゆるマルチセレクトキーとして用いられている（例えば、特許文献１参照。）。
【０００３】
ラバーキー装置の具体的な適用例として、ファクシミリ装置や電話装置などで用いられる子機について、図１０に基づいて説明する。図１０は、ファクシミリ装置の親機(図示略）と共に用いられる子機１００の概略構成を表す説明図である。
【０００４】
図１０に示す如く、子機１００は、数値や文字などを入力するための複数のテンキーや各種機能或いは選択項目を設定するための四方向キー１０６などからなる操作パネル１０８、操作パネル１０８の操作状況や音声通話中の相手先との通信状態などが表示されるディスプレイ１１０、内部に搭載されたスピーカからの音声を外部に出力するための受話口１１２、ユーザの音声を内部のマイクに伝えるための送話口１１４、などを備えている。
【０００５】
操作パネル１０８を構成する複数のテンキーや四方向キー１０６等の表面（操作面）は、いずれも、本体ケース１０２においてこれら各テンキーや四方向キー１０６の配置位置に合わせて形成された開口部から外部へ露出した状態となっている。即ち、四方向キー１０６の場合、その操作面が、本体ケース１０２においてこの四方向キー１０６の形状（十字形状）に合わせて形成された十字状の開口部１０４から露出している。
【０００６】
四方向キー１０６は、図示の如く、外周に沿うように四つの押圧領域（上・下・左・右）が設定されると共に、押圧領域毎に、異なる機能或いは選択項目等が設定されており、いずれかの押圧領域を押すと、その押圧領域に応じた機能或いは選択項目等が選択されることとなる。
【０００７】
このように構成された子機１００における、四方向キー１０６及びこれを機能させるための複数のラバーキー等からなるラバーキー装置について、図１１に基づいて説明する。図１１は、子機１００に搭載されたラバーキー装置の概略構成を表す断面図であり、具体的には、図１０におけるＡ−Ａ断面を表す図である。
【０００８】
図１１に示す如く、子機１００はその内部にラバーキーシート１２０を備えている。このラバーキーシート１２０は、プリント基板１１６上に配置され、四方向キー１０６における上・下・左・右の四つの押圧領域それぞれに対応して設けられたラバーキー１２３，１３３，・・・を備えている。このうち、四方向キー１０６のうち上方向の押圧領域に対応したラバーキー１２３は、四方向キー１０６側から見た形状が円形となるような円筒形状をなしており、その下部側（プリント基板１１６側）の端部外周に渡って形成されたスカート部１２５を介してベース部１２１に繋がっている。四方向キー１０６のうち下方向の押圧領域に対応したラバーキー１３３も全く同様であり、スカート部１３５を介してベース部１２１に繋がっている。四方向キー１０６の右方向及び左方向の各押圧領域に対応したラバーキー(図示略）も同様である。これら各ラバーキー１２３，１３３、各スカート部１２５，１３５、ベース部１２１は、同一のラバー材によって一体的に形成され、全体として一つのラバーキーシート１２０を形成している。
【０００９】
スカート部１２５，１３５は、対応する各ラバーキー１２３，１３３が押し下げられたときにクリック感を発生させるようにするためのものである。即ち、各ラバーキー１２３，１３３は、それぞれベース部１２１に対して各スカート部１２５，１３５によって弾性的に支持された状態にある。この状態から、例えば、四方向のうち上方向に対応したラバーキー１２３に対してその下部側（図中左側；プリント基板１１６側）へ荷重をかけると、スカート部１２５が弾性変形して、ラバーキー１２３は下部側へ移動する。この弾性変形によってクリック感が発生する。そのため、ユーザは、ラバーキー１２３を直接或いは間接的に押し下げたとき、クリック感の発生をもって押し下げたことを認識できるのである。
【００１０】
このように構成された子機１００において、ユーザが四方向キー１０６のうち例えば上方向の押圧領域を押圧すると、図１１の右側の図に示すように、四方向キー１０６が、押圧した押圧領域とは反対側（四方向キー１０６の中心部を挟んだ反対側）の端部と本体ケース１０２との接触点を支点Ｐとして、図中反時計回り（矢印Ｑ方向）に回転する。すると、四方向キー１０６の裏面１０７によってラバーキー１２３の上面が押圧されて押し下げられる。これにより、ラバーキー１２３の底面に形成された可動接点１２７が、プリント基板１１６に形成された固定接点１２９と電気的に接触し、両者が導通する。
【特許文献１】特開２００１−２５０４５５号公報
【発明の開示】
【発明が解決しようとする課題】
【００１１】
しかしながら、上記のように構成された子機１００では、四方向キー１０６の各押圧領域を押圧したときに良好なクリック感が得られないという問題があった。即ち、図１１に示したように、ユーザが四方向キー１０６のうち上方向の押圧領域を押すと、四方向キー１０６はそのまま全体的に下部側（プリント基板１１６側）へ押し下げられるのではなく、支点Ｐを中心に矢印Ｑ方向に回転する。
【００１２】
そのため、四方向キー１０６の裏面１０７はラバーキー１２３の上面（四方向キー１０６との対向面）に対して傾斜しながら接触し、ラバーキー１２３を押し下げる。これにより、ラバーキー１２３は、四方向キー１０６の傾斜と同じように傾いた状態で押し下げられる。
【００１３】
このように、ラバーキー１２３が傾いた状態で押し下げられると、対応するスカート部１２５は全体が均一に弾性変形せずに偏って弾性変形する。つまり、クリック感を発生させるためのスカート部１２５がその機能を十分に果たせない状態となる。そのため、ユーザは良好なクリック感が得られないのである。このように良好なクリック感が得られないと、ユーザは、しっかり操作できたかどうか不安となって同じ操作（押圧領域の押圧）を繰り返してしまう。こういった問題は、四方向キー１０６の各方向について同様に生じる問題である。
【００１４】
本発明は上記課題に鑑みなされたものであり、一つの操作面に複数の押圧領域が設定されたキートップ部を備えたラバーキー装置において、各押圧領域を押圧したときに良好なクリック感が得られるようにすることを目的とする。また、良好なクリック感が得られるラバーキー装置を備えた携帯端末及び画像処理装置を提供することを目的とする。
【課題を解決するための手段】
【００１５】
上記課題を解決するためになされた請求項１記載の発明は、本体ケースの開口部に露出する操作面を有し、この操作面において外周に沿うように複数の押圧領域が設定されたキートップ部と、このキートップ部の操作面とは反対の裏面側において上記複数の押圧領域の各々に対向するように個別に設けられ、導体からなる可動接点を有するラバーキーと、各ラバーキーに設けられ、該ラバーキーが所定の押下方向へ押し下げられたときにクリック感を発生させるクリック感付与部材とを備えたラバーキー装置であり、キートップ部におけるいずれかの押圧領域が押圧されると、キートップ部がその押圧された押圧領域よりも中心側を支点としてその押圧方向へ回転して、その押圧領域に対応したラバーキーがキートップ部から荷重を受けて押し下げられると共にそのラバーキーが有する可動接点が予め固定設置された固定接点に当接するよう構成されている。
【００１６】
そして、本発明（請求項１）のラバーキー装置は、更に、ラバーキーにおけるキートップ部の裏面と対向する対向面、又は、キートップ部の裏面におけるラバーキーと対向する部位に、中心部荷重伝達手段が設けられている。この中心部荷重伝達手段は、キートップ部の押圧領域が押圧されたときに対応するラバーキーの対向面の中心部又は中心部近傍にキートップ部からの荷重がかかるようにするためのものである。
【００１７】
このように構成されたラバーキー装置では、キートップ部におけるいずれかの押圧領域を押圧したときに、その押圧領域よりも中心側の所定箇所を支点としてキートップ部が回転（揺動）する。この支点は、キートップ部がどのように支持されているかによって異なり、例えば、図１１で説明した四方向キー１０６のような構成であれば、押圧した押圧領域とは反対側（キートップ部の中心を挟んだ反対側）が支点となる。また例えば、キートップ部がその中心部において支持軸等で支持された構成（後述する図９に示すような形状）であれば、その支持されている中心部が支点となる。
【００１８】
そして、支点を中心に回転すると、押圧した押圧領域に対応したラバーキーにキートップ部の裏面が接触し、その裏面から荷重を受けてラバーキーは押し下げられる。このとき、従来の構成（図１１）では、キートップ部の傾きによってラバーキーも傾きながら押し下げられたが、本発明では、中心部荷重伝達手段により、ラバーキーは傾かずに押下方向へ押し下げられる。
【００１９】
即ち、たとえキートップ部が回転により傾きながらラバーキーに接触してきても、キートップ部又はラバーキーに設けられた中心部荷重伝達手段により、キートップ部裏面から受ける荷重は、ラバーキーの端部に偏ってかかることなく、ラバーキーの中心部又は中心部近傍にかかる。そのため、ラバーキーは、傾くことなく押下方向へ押し下げられるのである。
【００２０】
なお、対向面の「中心部」とは、ラバーキーをキートップ部側から上記押圧方向に見たときに見える面全体の中心部であり、より具体的には、上記押圧方向に正投影したときの正投影画の中心部である。また、その「近傍」（「中心部近傍」）とは、結果としてラバーキーが傾きながら押し下げられることなく、初期状態（キートップ部からの荷重を受けない状態）のまま押下方向へ押し下げられる程度に中心部に近いことを意味する。さらに、「対向面の中心部又は中心部近傍に前記キートップ部からの荷重がかかる」とは、中心部又は中心部近傍のみに荷重がかかることを意味しているのではなく、少なくとも中心部又はその近傍に荷重がかかるようにし、それによって、ラバーキーが傾くことなく押圧方向へ押し下げられる、ということを意味している。
【００２１】
このように構成された請求項１記載のラバーキー装置によれば、キートップ部の操作面（押圧領域）が押圧されてキートップ部が回転したとき、そのキートップ部からの荷重がラバーキーの対向面における中心部又はその近傍にかかる。これにより、ラバーキーは傾くことなく押下方向へ押し下げられ、ユーザはクリック感を良好に得ることができる。そのため、ユーザはキートップ部の操作が確実にできたかどうかを明確に判断でき、操作性が向上する。
【００２２】
ここで、中心部荷重伝達手段は、ラバーキーの対向面、或いはキートップ部の裏面のいずれに設けられていてもよいのだが、仮にキートップ部の裏面に設けると、その形状や当該ラバーキー装置の製作誤差、使用状況、使用環境等の種々の要因によって、ラバーキーとキートップ部との間に位置ずれが生じ、キートップ部からの荷重がラバーキーの中心部又はその近傍にかからなくなるおそれがある。つまり、設計上は中心部荷重伝達手段がラバーキーの中心部又はその近傍に荷重をかけるようにされていても、実際には上述した各種要因によって荷重のかかる位置がずれてしまうおそれがある。
【００２３】
そこで、中心部荷重伝達手段は、より好ましくは、例えば請求項２に記載のように、ラバーキーの対向面に設けられているのがよい。このように構成すれば、仮にキートップ部とラバーキーとの相対的位置にずれが生じても、ラバーキーと中心部荷重伝達手段との相対的位置関係は不変である。そのため、両者の位置ずれの影響をなくし、キートップ部からの荷重が確実にラバーキーの中心部又はその近傍にかかるようになる。
【００２４】
そして、この中心部荷重伝達手段の具体的構成は種々考えられ、例えば請求項３〜５いずれかに記載のように構成することができる。
まず、請求項３記載の発明は、請求項２記載のラバーキー装置であって、中心部荷重伝達手段は、ラバーキーの対向面の中心部からキートップ部に向けて突設された凸部であり、キートップ部の押圧領域が押圧されたとき、対応するラバーキーに形成された凸部の先端にキートップ部の裏面が当接する。
【００２５】
つまり、ラバーキーの対向面の中心部に凸部が形成されているため、キートップ部の押圧領域が押圧されて傾きながら回転してきたとき、その裏面は、凸部の先端に当接する。そのため、キートップ部からの荷重は凸部の先端にかかり、その凸部を介してラバーキーの中心部に荷重がかかることになる。
【００２６】
また、請求項４記載の発明は、請求項２記載のラバーキー装置であって、中心部荷重伝達手段は、ラバーキーの対向面においてその中心部を含む一定長の領域からキートップ部に向けて突設されたリブ部であり、そのリブ部は、対応する押圧領域が押圧されてキートップ部が回転したときにその長さ方向全体に渡ってキートップ部の裏面が当接するように設けられている。
【００２７】
つまり、ラバーキーの対向面には、一定長のリブ部が、対向面の中心部を通るように、且つキートップ部が押圧により回転してきたときにその裏面が全長に渡って当接するように設けられている。そのため、キートップ部が傾きながらラバーキーに当接してきたとき、対向面の中心部を通るように形成されたリブ部の全長に渡ってキートップ部の裏面が当接するため、ラバーキーの中心部に対する荷重が安定してかかるようになる。
【００２８】
このように、中心部荷重伝達手段として、凸部（請求項３）或いはリブ部（請求項４）を形成すれば、対向面中心部への荷重が得られるようになる。しかし、凸部或いはリブ部だと、その形状・強度によっては、キートップ部からの荷重を受けたときに凸部自身或いはリブ部自身がその荷重によって変形してしまうおそれがある。そうなると、キートップ部の裏面が凸部或いはリブ部だけでなく他の部分（例えば対向面の端部）にも当接してそこにも荷重がかかってしまい、従来(図１１）のような問題が生じてしまうおそれがある。
【００２９】
そこで、中心部荷重伝達手段は、より好ましくは、例えば請求項５記載のように構成するとよい。即ち、請求項５記載の発明は、請求項２記載のラバーキー装置であって、ラバーキーの対向面は、中心部荷重伝達手段としての、円弧部分がキートップ部の中心側へ向くように形成された半円形状の半円対向面を有しており、キートップ部の押圧領域が押圧されてキートップ部が回転したとき、対応するラバーキーの半円対向面のうち、その半円の直径に相当する直線状の外周部にキートップ部の裏面が当接する。
【００３０】
このように構成されたラバーキー装置によれば、半円対向面の外周部のうち直線部分全体に渡ってキートップ部が当接するという点では、上記リブ部と同等の作用・効果が得られる。更に加えて、凸部やリブ部の場合と比較して、中心部荷重伝達手段自体の強度を増すことができる。そのため、ラバーキーの中心部に対し、より安定して荷重がかかるようになる。
【００３１】
そして、請求項３〜５いずれかに記載のラバーキー装置は、例えば請求項６に記載のように、ラバーキーが、キートップ部によって押し下げられたときにそのキートップ部の裏面が当該ラバーキーの中心部荷重伝達手段のみに当接するよう構成されているとよい。
【００３２】
このように構成されたラバーキー装置によれば、中心部荷重伝達手段（凸部、リブ部、又は半円対向面）のみにキートップ部の裏面が当接するようになるため、中心部への荷重、ひいては押下方向への押し下げが確実に行われるようになり、ユーザは良好なクリック感を確実に得ることができるようになる。
【００３３】
上記請求項５に記載のラバーキー装置が、上記請求項６記載のようにキートップ部の裏面がラバーキーの中心部荷重伝達手段のみに当接するようにするためには、例えば請求項７に記載のように、対向面を、上記半円対向面と、その半円対向面以外の面であってキートップ部からの距離が半円対向面よりも離れた位置にある低域面とによって構成するとよい。
【００３４】
この場合、より具体的には、例えば請求項８に記載のように、半円対向面及び低域面をいずれも上記押下方向に垂直となるようにすると共に、キートップ部が回転していずれかのラバーキーが押し下げられたときの回転角をα、ラバーキーの半円対向面における直線部分の中心点と低域面における円弧状の外周部とを結ぶ直線が回転前のキートップ部の裏面となす角を傾斜角βとしたとき、ラバーキーは、傾斜角βが回転角αよりも大きくなるように形成されているとよい。
【００３５】
このように構成されたラバーキー装置によれば、半円対向面の外周における直線（直径）部分のみにキートップ部の裏面が当接し、それ以外の部分に当接することがない。そのため、キートップ部からの荷重はまさにその直線部分のみにかかってラバーキーの中心部に荷重が確実に印加され、ラバーキーは傾くことなく確実に押下方向へ押し下げられるため、ユーザはクリック感をより確実に得ることができるようになる。
【００３６】
次に、請求項９記載の発明は、請求項１〜８いずれかに記載のラバーキー装置を備え、キートップ部の複数の押圧領域のいずれかを押圧することで、各押圧領域に対応した機能が選択されるよう構成されていることを特徴とする携帯端末である。
【００３７】
ラバーキー装置を備えた各種機器の中でも、携帯端末のような小型化されたものでは特に、キートップ部を操作(押圧）したときのキートップ部の回転角（傾き）が大きくなる傾向にあるが、そのように回転角が大きい場合でも、本発明のラバーキー装置を備えることで、ラバーキーを傾けることなく確実に押下方向へ押し下げることができ、確実なクリック感、確実な操作性を得ることができる。
【００３８】
また、請求項１０記載の発明は、請求項１〜８いずれかに記載のラバーキー装置を備えた画像処理装置であって、少なくとも、原稿を読み取る原稿読み取り機能と、入力された画像データが表す画像を記録媒体へ記録する画像記録機能とを備え、キートップ部の複数の押圧領域のいずれかを押圧することで、当該画像処理装置が有する機能のうちその押圧した押圧領域に対応付けられた機能が選択されるよう構成されている。
【００３９】
このように、本発明のラバーキー装置を備えた画像処理装置によれば、キートップ部の各押圧領域に対応付けられた機能（上記各機能又は他の機能のうちいずれか）を選択するにあたり、ユーザはキートップ部の操作時にクリック感を確実に得ることができる。そのため、操作性の良好な画像処理装置を提供することができる。
【発明を実施するための最良の形態】
【００４０】
以下に、本発明の好適な実施形態を図面に基づいて説明する。
（１）ファクシミリ装置全体の構成
図１は、本発明が適用された画像処理装置としてのファクシミリ装置１の概略構成を示す斜視図である。図１に示す如く、本実施形態のファクシミリ装置１は、親機３と子機５を備えた一般的構成のものである。
【００４１】
親機３は、図示しない電話回線を介して接続される相手先装置との間で音声通話やファクシミリの送受信などを行うための通信装置である。この親機３は、相手先の電話番号やＦＡＸ番号、各種コマンド等を入力するための複数のテンキーや四方向キー１３などの各種キーを有する操作パネル１１、入力した各種番号やコマンド、或いは当該ファクシミリ装置１の動作状態などの各種情報が表示されるディスプレイ１５、図示しない受話器が載置される受話器台１７、子機５との間で無線通信を行うためのアンテナ１９などを備える。
【００４２】
この親機３は、受話器台１７に載置される受話器を用いた電話（音声通話）機能を有する他、ファクシミリ装置としての基本的な機能である、原稿読み取り機能及び画像記録機能を備えている。
【００４３】
原稿読み取り機能は、図示しない原稿挿入口に挿入された原稿から光学的に画像を読み取る機能である。この原稿読み取り機能により読み取られた画像を表すイメージデータはファクシミリデータに変換され、電話回線を介して外部のファクシミリ装置に送信される。画像読み取り後の原稿は、原稿排出口２９から当該ファクシミリ装置１の前方へ排出される。
【００４４】
また、画像記録機能は、外部のファクシミリ装置から電話回線を介して送信されてきたファクシミリデータを受信したときに、記録紙へそのファクシミリデータが表す画像を形成（記録）する機能である。画像が形成された記録紙は、記録紙排出口２７から当該ファクシミリ装置１の後方へ排出される。
【００４５】
四方向キー１３は、外形は異なるものの、既述の子機１００（図１１参照）が備える四方向キー１０６と同じく、外周に沿って四つの押圧領域が設定されている。具体的には、略十字形状に形成された四方向キー１３における上・下・左・右の各方向に対応して、四つの押圧領域４２，４３，４４，４５が設定されている。
【００４６】
各押圧領域４２，４３，４４，４５には、それぞれ、当該ファクシミリ装置１が有する各種機能或いは選択・設定項目のいずれかが対応づけられている。例えば、四方向キー１３のうち左方向（押圧領域４５）を押すと、それまでの発信履歴が所定件数分だけディスプレイ１５に表示される。他の３つの押圧領域４２，４３，４４についても、それぞれ、何らかの機能・設定項目等が対応付けられている。
【００４７】
ファクシミリ装置１は、下カバー２３と上カバー２１とにより覆われている。各カバー２１，２３は、それぞれの後端側において図示しないカバー回動軸を介して回動自在に連結されている。そして、ユーザがレバー２５を操作して（持ち上げて）上カバー２１を開けると、上カバー２１はカバー回動軸を中心として回動する。これにより、当該ファクシミリ装置１の内部に対して各種メンテナンス作業等を行うことができる。
【００４８】
一方、子機５は、親機３及び電話回線を介して外部と音声通話をするための周知の携帯端末であり、その機能及び外形は、図１１に示した子機１００と全く同じである。そのため、以下、子機５を説明するにあたり、図１１と同じ構成要素には図１１と同じ符号を付し、その詳細説明を省略する。なお、親機３は外部電源（ＡＣ１００Ｖ電源）の供給を受けて動作するのに対し、子機５は、図示しないバッテリ（二次電池）から電源供給を受けて動作する。そのため、バッテリを充電する際は、図示のように子機充電器７に子機５を載置して充電を行う。
【００４９】
子機５は、より詳細には、図２に示すように構成されている。図２において、右側は子機５の正面図であり、左側は子機５の側断面図（Ｂ−Ｂ断面図）である。図示の如く、子機５が備える四方向キー１０６は、本体ケース１０２の開口部１０４から露出した操作面３１において、その外周に沿うように四つの押圧領域３２，３３，３４，３５が設定されている。
【００５０】
そして、各押圧領域３２，３３，３４，３５のそれぞれに対して当該子機５の機能或いは選択項目等が個別に設定されており、いずれかの押圧領域を押すと、その押圧領域に応じた機能或いは選択項目等が選択されることとなる。例えば、四方向キー１０６のうち右方向の押圧領域３３および左方向の押圧領域３５を押すことによって、子機５における着信音量や受話音量などの調整を行うことができる。また例えば、四方向キー１０６のうち上方向の押圧領域３２を押すことによって、当該子機５に登録された電話帳データをディスプレイ１１０に表示させることができる。
【００５１】
子機５の内部における操作パネル１０８の裏側には、操作パネル１０８を構成する各種キー（四方向キー１０６を含む）に対応して設けられた複数のラバーキーを有するラバーキーシート５０が備えられている(図２の側断面図）。このラバーキーシート５０は、子機５を動作させるための各種電子回路が形成されたプリント基板６０上に取り付けられている。
【００５２】
各ラバーキーシート５０を構成する複数のラバーキーのうち、四方向キー１０６に対応した四つのラバーキー５３，６３，９２，９３(図２及び図３参照）以外のラバーキーは、各ラバーキー自体がそれぞれ本体ケース１０２の開口部から露出し、数字キー等としてユーザが直接操作できるよう構成されている。そのため、例えばユーザが電話番号を入力すべく数字キーを押すと（つまり対応するラバーキーを押すと）、そのラバーキーがプリント基板６０側へ押し下げられる。そして、ラバーキーの下面に形成された可動接点と、プリント基板６０上に形成された固定接点とが接触して電気的に導通する。これにより、ユーザによる所望の操作（数字の入力）が受け付けられる。
【００５３】
一方、四方向キー１０６に対応した四つのラバーキー５３，６３，９２，９３は、それ自体が子機５の外部に露出しているのではなく、図２に示すように、これら各ラバーキー５３，６３，９２，９３の上に四方向キー１０６が載置された状態となっている。
【００５４】
図３は、ラバーキーシート５０の概略構成を示す図であり、右側は正面図、左側は側面図である。図２及び図３に示す如く、四方向キー１０６に対応した各ラバーキー５３，６３，９２，９３は、四方向キー１０６における四つの押圧領域３２，３３，３４，３５それぞれに対向するように配置されている。
【００５５】
そして、これら四つのラバーキー５３，６３，９２，９３はいずれも、図１１に示したラバーキー１２３と同様、スカート部を介してベース部に繋がっている。即ち、四方向キー１０６のうち上方向の押圧領域３２の裏面に対向するように設けられたラバーキー５３は、図２に示す如く、このラバーキー５３の下部側の端部外周に渡って形成されたスカート部５５を介してベース部５１に繋がっている。また、下方向の押圧領域３４の裏面に対向するように設けられたラバーキー６３は、このラバーキー６３の下部側の端部外周に渡って形成されたスカート部６５を介してベース部５１に繋がっている。他の２つのラバーキー９２，９３も同様の構成である。
【００５６】
スカート部５５，６５は、図１１のスカート部１２５，１３５と全く同じであり、ユーザが四方向キー１０６を操作（押圧）したときにクリック感を発生させるためのものである。例えば、上方向の押圧領域３２に対応したラバーキー５３に対し、プリント基板６０に向かってその板面に垂直な方向(押下方向）へ荷重をかけると、スカート部５５はある程度の大きさの荷重には抗する。しかし、荷重が大きくなっていくと、ある時点でスカート部５５は座屈したように弾性変形する。つまり、ラバーキー５３を押し下げる差異の荷重に変化が生じるのであり、ユーザはこの荷重の変化によってクリック感を感じることができる。
【００５７】
このように、本実施形態の子機５は、基本的には図１０及び図１１に示した子機１００と同じ構成であり、その機能に至っては全く同じである。そして、本実施形態の子機５が図１０及び図１１に示した子機１００と大きく異なるのが、四方向キー１０６に対応して設けられた四つのラバーキー５３，６３，９２，９３における、四方向キー１０６の裏面に対向する対向面側の形状である。
【００５８】
そこで、以下、この四つのラバーキー５３，６３，９２，９３の構成（特に、上方向に対応したラバーキー５３及び下方向に対応したラバーキー６３の構成）について、より詳細に説明する。
【００５９】
（２）四方向キーに対応したラバーキーの詳細構成
次に、ラバーキーシート５０を構成する複数のラバーキーのうち、四方向キー１０６に対応した四つのラバーキー５３，６３，９２，９３について、図４に基づいて説明する。  
【００６０】
図４に示す如く、四方向キー１０６に対応してラバーキーシート５０に形成された四つのラバーキー５３，６３，９２，９３は、いずれも、その上面（四方向キー１０６の裏面１０７と対向する対向面）が、半円対向面と、それよりも低い（四方向キー１０６の裏面１０７からより離れている）低域面とを有する。
【００６１】
具体的には、四方向キー１０６のうち上方向の押圧領域３２の裏面に対向するように設けられたラバーキー５３は、半円対向面５３ａと、低域面５３ｂとを有する。半円対向面５３ａは、その外周のうち円弧部分が、四つのラバーキー５３，６３，９２，９３の中心部分（換言すれば、四方向キー１０６の中心側）へ向くように形成されている。一方の低域面５３ｂは、その外周のうち円弧部分が、上記中心部分（四方向キー１０６の中心側）とは反対の外側へ向くように形成されている。
【００６２】
そして、半円対向面５３ａと低域面５３ｂの、高さ方向（プリント基板６０の板面に垂直な方向）における位置関係は、図４下側の断面図（図４上側の正面図におけるＣ−Ｃ断面を示す図）に示すように、半円対向面５３ａに対して低域面５３ｂが若干低くなっている。つまり、ラバーキー５３における四方向キー１０６との対向面側は段差状に形成されている。
【００６３】
この段差形状は、より詳しくは、半円対向面５３ａの外周部分のうち直線部分の中心点と低域面５３ｂにおける円弧状の外周部とを結ぶ直線が、回転前の四方向キー１０６の裏面１０７となす角（換言すれば、四方向キー１０６からの荷重を受けない自由状態での半円対向面５３ａとなす角）である傾斜角βが、四方向キー１０６が押圧されて回転したときの回転角α（後述する図６参照）よりも大きくなるように形成されている。
【００６４】
四方向キー１０６のうち下方向の押圧領域３４の裏面に対向するように設けられたラバーキー６３も同様であり、半円対向面６３ａと低域面６３ｂとを有する。半円対向面６３ａは、その外周のうち円弧部分が四方向キー１０６の中心側へ向くように形成され、低域面６３ｂは、その外周のうち円弧部分が上記中心側とは反対の外側へ向くように形成されている。他の２つのラバーキー９２，９３も同様である。
【００６５】
つまり、段差形状のうち、高い部分である半円対向面５３ａ，６３ａ，９２ａ，９３ａはいずれも、四方向キー１０６の中心側へ向くように形成されており、一方の低い部分である低域面５３ｂ，６３ｂ，９２ｂ，９３ｂはいずれも、上記中心側とは反対側へ向くように形成されているのである。なお、各ラバーキー５３，６３，９２，９３の底面（プリント基板６０と対向する面）には、それぞれ、カーボン薄膜からなる可動接点５７，６７，・・・が形成されている。
【００６６】
図５に、四方向キー１０６の詳細構成を示す。図５（ａ）は側面図、同図（ｂ）は正面図、同図（ｃ）は背面図、同図（ｄ）は背面側から見た斜視図である。四方向キー１０６は樹脂により一体成形されたものであり、図５に示すように、裏面１０７からの高さが、下方向の押圧領域３４から上方向の押圧領域３２にかけて徐々に高くなるような形状をなしている。
【００６７】
また、図５（ｃ）及び同図（ｄ）に示すように、四方向キー１０６はその裏面１０７側から内部が肉抜きされている。より詳しくは、この四方向キー１０６の各押圧領域３２，３３，３４，３５の裏側において、複数のリブが形成されている。具体的には、上方向の押圧領域３２に対応する裏側には３つのリブ１５１，１５２，１５３が形成され、右方向の押圧領域３３に対応する裏側には３つのリブ１６３，１６４，１６５が形成され、下方向の押圧領域３４に対応する裏側には３つのリブ１５５，１５６，１５７が形成され、左方向の押圧領域３５に対応する裏側には３つのリブ１５９，１６０，１６１が形成されている。四方向キー１０６の内部を全体に渡って一様に肉抜きせず、上記のようにリブを形成するようにしているのは、対応する四つのラバーキー５３，６３，９２，９３に対してこの四方向キー１０６の裏面１０７から確実に荷重をかけて押し下げるためである。
【００６８】
（３）四方向キーにより押し下げられるラバーキーの動作
次に、四方向キー１０６及びこれを機能させるための四つのラバーキー５３，６３，９２，９３等からなるラバーキー装置において、各ラバーキー５３，６３，９２，９３が四方向キー１０６によって押し下げられるときの各ラバーキーの状態変化について、図６に基づいて説明する。なお、四つのラバーキー５３，６３，９２，９３が四方向キー１０６によって押し下げられる際の状態変化はいずれも同じであるため、ここでは、代表として上方向の押圧領域３２に対応したラバーキー５３の状態変化に絞って説明する。図６は、このラバーキー５３が四方向キー１０６によって押し下げられるときの状態変化を説明するための説明図であり、ラバーキー装置の断面を示すものである。
【００６９】
四方向キー１０６における上方向の押圧領域３２がユーザによって押圧されない自由状態においては、図６の左側に示すように、ラバーキー５３はスカート部５５によって弾性支持された状態にある。このとき、ラバーキー５３における半円対向面５３ａ上に四方向キー１０６の裏面１０７が接している。なお、当然ながらスカート部５５に変形は生じていない。
【００７０】
この状態から、上方向の押圧領域３２を押下方向に向かって押圧すると、図６の右側に示すように、四方向キー１０６が、押圧した押圧領域３２とは反対側（四方向キー１０６の中心部を挟んだ反対側）の端部と本体ケース１０２との接触点を支点Ｐとして、図中反時計回り（矢印Ｑ方向）に回転する。すると、四方向キー１０６の裏面１０７によってラバーキー５３が押圧されて押し下げられる。
【００７１】
このとき、四方向キー１０６の裏面１０７は、図に示すように、支点Ｐを中心として回転したことによって、回転前の状態から徐々に傾斜していく。そして、この傾斜に伴い、四方向キー１０６の裏面１０７は、ラバーキー５３の半円対向面５３ａの外周のうち直線部分にのみ当接するようになり、この直線部分に対して押圧荷重がかかることになる。より詳しくは、この直線部分に対し、四方向キー１０６における３つのリブ１２１，１２２，１２３（図５（ｃ）参照）を含む裏面１０７が当接（線接触）することになる。
【００７２】
そして、このように半円対向面５３ａの直線外周部分に四方向キー１０６からの荷重がかかることで、その荷重はラバーキー５３の中心部（四方向キー１０６に対向する対向面の中心部）にかかることになる。そのため、ラバーキー５３は傾くことなく、半円対向面５３ａ及び低域面５３ｂがプリント基板６０の板面に平行な状態を保持したまま押し下げられる。
【００７３】
そのため、ラバーキー５３を弾性支持しているスカート部５５には一様に荷重がかかり、ある程度大きくなった時点で一様に弾性変形する（図６右側の状態）。よって、この弾性変形により良好なクリック感が発生する。
【００７４】
このようにしてラバーキー５３がプリント基板６０に対して真っ直ぐに（垂直に）押し下げられると、ラバーキー５３の底面に形成された可動接点５７が、プリント基板６０上に形成された固定接点５９に面接触する。そのため、両者が確実に導通することになる。
【００７５】
また、四方向キー１０６の裏面１０７が傾斜しながらラバーキー５３を完全に押し下げた状態となっても、裏面１０７は、ラバーキー５３の半円対向面５３ａにおける直線外周部分だけに当接した状態を保持している。これは、このように完全に押し下げた状態での回転角αが、ラバーキー５３における上述した傾斜角β（図４参照）よりも小さいためである。ラバーキー５３がこのように形成されていることで、四方向キー１０６からの荷重は常に半円対向面５３ａの直線外周部分のみにかかるのである。
【００７６】
（４）本実施形態の効果等
以上詳述した本実施形態のファクシミリ装置１によれば、子機５に搭載されたラバーキー装置（四方向キー１０６及び４つのラバーキー５３，６３，９２，９３等からなる）において、四方向キー１０６の各押圧領域３２，３３，３４，３５のうち例えば上方向の押圧領域３２を押圧すると、それに対応したラバーキー５３の半円対向面５３ａのうち直線外周部分に対して四方向キー１０６の裏面１０７が当接し、この直線外周部分（当接面の中心部を含む）に対して押圧する方向（押下方向）への荷重がかかることになる。
【００７７】
これにより、四方向キー１０６は傾きながらラバーキー５３を押し下げていくものの、ラバーキー５３は傾くことなく押下方向へ押し下げられ、ユーザはクリック感を良好に得ることができる。そのため、ユーザは四方向キー１０６の操作が確実にできたかどうかを明確に判断でき、操作性が向上する。しかも、ラバーキー５３の底面に形成された可動接点５７はプリント基板６０上の固定接点５９と確実に面接触するため、両者は安定して接触し、確実に導通するようになる。
【００７８】
また、ラバーキー５３が四方向キー１０６から荷重を受けて押し下げられる間、四方向キー１０６の裏面１０７が傾斜していっても、その角度（回転角）αは、ラバーキー５３における傾斜角βよりも小さいため、裏面１０７は常にラバーキー５３の半円対向面５３ａにおける直線外周部分のみに当接（線接触）した状態を保持する。
【００７９】
そのため、四方向キー１０６からの荷重は常に且つ確実にラバーキー５３の中心部にかかる。そのため、ユーザは押下方向への押し下げを確実に行うことができ、良好なクリック感を確実に得ることができるようになる。
【００８０】
また、子機５のような小型の携帯端末では特に、四方向キー１０６を操作（押圧）したときの回転角（傾き）αが大きくなる傾向にあるが、そのように回転角αが大きい場合でも、ラバーキー装置を本実施形態のように構成することで、ラバーキー５３が傾くことなく確実に押下方向へ押し下げることができ、確実なクリック感、確実な操作性を得ることができる。
【００８１】
なお、ここまでは子機５が備える四方向キー１０６及びこれに対応した各ラバーキー５３，６３，９２，９３について説明したが、ファクシミリ装置１の親機３が備える四方向キー１３も同様の構成である。即ち、親機３の四方向キー１３の裏側には、各押圧領域４２，４３，４４，４５に対向するように四つのラバーキーが備えられている。そして、これら各ラバーキーも、子機５における四つのラバーキー５３，６３，９２，９３と同じように形成されている。そのため、親機３の四方向キー１３についても、良好なクリック感を得ることができる。
【００８２】
ここで、本実施形態において、四方向キー１０６は本発明のキートップ部に相当し、各スカート部５５，６５は本発明のクリック感付与部材に相当し、半円対向面５３ａは本発明の中心部荷重伝達手段に相当する。
【００８３】
（５）変形例
以上、本発明の実施の形態を説明したが、本発明の適用は上記実施形態に何ら限定されるものではなく、本発明の技術的範囲に属する限り種々の形態を採り得ることはいうまでもない。
【００８４】
上記実施形態の子機５が備えるラバーキー装置は、各ラバーキー５３，６３，９２，９３が四方向キー１０６からの荷重を受けても傾くことなく押し下げられるようにするために、各ラバーキーの上面（対向面）を段差形状とし、四方向キー１０６の裏面１０７が各ラバーキーに対して線接触するように構成した。
【００８５】
これは、ラバーキーに対してその中心部に荷重がかかるようにするためである。言い換えれば、ラバーキーの対向面に対してその中心部に荷重がかかるような構成であれば、上記実施形態の構成に限らず、種々の構成をとることができる。その具体的な例を、図７〜図９に示す。
【００８６】
まず、図７に示すラバーキー装置は、四方向キー７１の底面における各ラバーキー１２３，１３３，・・・と対向する位置に、それぞれリブ部７３，７５，７７，７８が形成された構成となっている。各ラバーキー１２３，１３３，・・・の上面（四方向キー７１との対向面）は、上記実施形態のような段差などはなく、一面にフラットな円形の平面となっている。
【００８７】
そして、例えば図７（ａ）の左側に示すラバーキー１２３を押し下げるべく、これに対応した四方向キー７１上の押圧領域を押圧すると、この押圧領域に対応したリブ部７３がラバーキー１２３の対向面に当接する。より具体的には、ラバーキー１２３の円形状の対向面における直径部分全体に渡ってリブ部７３が線接触する。
【００８８】
これにより、ラバーキー１２３の中心部分に荷重がかかることになるため、ラバーキー１２３は傾くことなく押し下げられる。従って、図７のラバーキー装置のように、四方向キー７１の裏面にリブ部を形成することによっても、上記実施形態と同様、良好なクリック感が得られる。尚この場合、各リブ部７３，７５，７７，７８がいずれも本発明の中心部荷重伝達手段に相当するものである。
【００８９】
一方、リブ部は必ずしも四方向キー側に形成する必要はなく、例えば図８に示すように、ラバーキー側に形成するようにしてもよい。図８のラバーキー装置は、裏面がフラットに形成された四方向キー８１と、この四方向キー８１の裏面に対向するように設けられた四つのラバーキー８４，８６，８８，９０を備える。そして、各ラバーキー８４，８６，８８，９０の対向面上にはそれぞれ、リブ部８５，８７，８９，９１が形成されている。このように構成されたラバーキー装置において、例えば図８（ａ）の左側に示すラバーキー８４を押し下げるべく、これに対応した四方向キー８１上の押圧領域を押圧すると、四方向キー８１の裏面が、ラバーキー８４の対向面上に形成されたリブ部８５に当接（線接触）する。
【００９０】
これにより、ラバーキー８４の中心部分に荷重がかかることになるため、ラバーキー８４は傾くことなく押し下げられる。従って、図８のラバーキー装置のように、各ラバーキーの対向面上にリブ部を形成することによっても、上記実施形態と同様、良好なクリック感が得られる。この場合、各リブ部８５，８７，８９，９１がいずれも本発明の中心部荷重伝達手段に相当するものである。
【００９１】
なお、図７及び図８は、いずれもラバーキーに対してその中心部分に荷重をかけることはできるが、より好ましいのは、図８に示したように、ラバーキーの対向面上にリブ部が形成された構成である。
【００９２】
即ち、図７のように四方向キー７１の裏面にリブ部が形成された構成だと、ラバーキー装置の製作誤差、使用状況、使用環境等の種々の要因によって、ラバーキーと四方向キー７１との間に位置ずれが生じ、四方向キー７１のリブ部がラバーキーの中心部又はその近傍からずれた位置で当接してしまうおそれがある。そうなると、ラバーキーに対して偏った荷重がかかり、傾いてしまうおそれがある。
【００９３】
これに対し、図８のようにラバーキー側にリブ部を形成しておけば、仮に四方向キーとの間で相対的な位置ずれが生じても、ラバーキー上のリブ部に四方向キーが線接触する限り、確実にラバーキーの中心部へ荷重がかかることになる。
【００９４】
また、リブ部に代えて、凸起（本発明の凸部）を形成するようにしてもよい。例えば、図７の四方向キー７１はその底面にリブ部７３，７５，７７，７８が形成されているが、このリブ部をそれぞれ凸起とするのである。そして、四方向キーの押圧領域を押圧したとき、その押圧領域に対応した凸起の先端がラバーキーの対向面の中心部に当接するようにするのである。このように凸起を設けることによっても、ラバーキーの中心部に荷重をかけることができるため、良好なクリック感を得ることができる。
【００９５】
そしてこの凸起は、四方向キー側ではなくラバーキー側に設けるようにしてもよい。即ち、図８の各ラバーキー８４，８６，８８，９０の対向面上にはそれぞれリブ部８５，８７，８９，９１が形成されているが、これら各リブ部８５，８７，８９，９１に代えて、各ラバーキー８４，８６，８８，９０の対向面の中心部に凸起を形成するのである。
【００９６】
また、上記実施形態では、四方向キー１０６は四つのラバーキー５３，６３，９２，９３の上に自然に載置された状態となっていたため、いずれかの押圧領域を押圧したとき、その押圧領域とは反対側の端部と本体ケース１０２との接触点が支点Ｐとなって、図６に示すように四方向キー１０６が矢印Ｑ方向へ回転した。ただし、このように四方向キー１０６がラバーキー上に自然に載置された構成はあくまでも一例であり、例えば図９に示すように、ラバーキーシートのベース部５１から垂直方向に立設されたボス（支持軸）９７によって四方向キー９５の中心部が支持される構成であってもよい。
【００９７】
図９のような構成の場合、四方向キー９５において例えば図中左側のラバーキー５３に対応した押圧領域を押圧すると、四方向キー９５は、ボス９７にて支持された中心部を支点として回転することになる。このような構成であっても、上記実施形態と同様のラバーキー５３，６３，９２，９３を用いることで、上記実施形態と同様の効果を得ることができる。
【００９８】
更に、上記実施形態では、四方向キー１０６からの荷重が各ラバーキー５３，６３，９２，９３の対向面の中心部にかかるようにしたが、必ずしも厳密に中心部にかかるようにする必要はない。荷重が中心部から多少ずれたとしても、その荷重を受けることによってスカート部が全体に渡って均一に弾性変形し、弾性変形前後の荷重の差が明確に生じるのであれば、上記実施形態と同じ効果が得られる。
【００９９】
また、上記実施形態では、本発明のラバーキー装置がファクシミリ装置１における親機３及び子機５に適用された場合について説明したが、本発明の適用は親機３及び子機５への適用に限定されないのはもちろん、ファクシミリ装置への適用にも限定されない。
【０１００】
また、四つの押圧領域３２，３３，３４，３５を備えた四方向キー１０６も、あくまでも一例であり、複数設定される押圧領域の具体的な数は特に限定されない。
【図面の簡単な説明】
【０１０１】
【図１】実施形態のファクシミリ装置の概略構成を示す斜視図である。
【図２】子機の概略構成を示す正面図及び側断面図である。
【図３】ラバーキーシートの概略構成を示す正面図及び側面図である。
【図４】ラバーキーの概略構成を示す正面図及び断面図である。
【図５】四方向キーの詳細構成を示す説明図である。
【図６】ラバーキーが四方向キーによって押し下げられるときの状態変化を説明するための説明図（ラバーキー装置の断面図）である。
【図７】ラバーキー装置の変形例を示す図であり、（ａ）は断面図、（ｂ）は四方向キーの底面図である。
【図８】ラバーキー装置の変形例を示す図であり、（ａ）は断面図、（ｂ）はラバーキーの正面図である。
【図９】ラバーキー装置の変形例を示す断面図である。
【図１０】子機の概略構成を表す説明図である。
【図１１】子機に搭載されたラバーキー装置の概略構成を表す断面図である。
【符号の説明】
【０１０２】
１…ファクシミリ装置、３…親機、５…子機、１１，１０８…操作パネル、１３，７１，８１，９５，１０６…四方向キー、１５，１１０…ディスプレイ、３１…操作面、３２，３３，３４，３５…押圧領域、４２，４３，４４，４５…押圧領域、５０，１２０…ラバーキーシート、５１…ベース部、５３，６３，８４，８６，８８，９０，９２，９３，１２３，１３３…ラバーキー、５３ａ，６３ａ…半円対向面、５３ｂ，６３ｂ…低域面、５５，６５，１２５，１３５…スカート部、５７…可動接点、５９…固定接点、６０…プリント基板、７３，７５，７７，７８，８５，８７，８９，９１…リブ部、９７…ボス、１００…子機、１０２…本体ケース、１０４…開口部、１０７…裏面、１２１…ベース部、１２７，１３７…可動接点、１２９，１３９…固定接点、１５１〜１５３，１５５〜１５７，１５９〜１６１，１６３〜１６５…リブ、Ｐ…支点
【図１】
2007095619.tif 000003
【図２】
2007095619.tif 000004
【図３】
2007095619.tif 000005
【図４】
2007095619.tif 000006
【図５】
2007095619.tif 000007
【図６】
2007095619.tif 000008
【図７】
2007095619.tif 000009
【図８】
2007095619.tif 000010
【図９】
2007095619.tif 000011
【図１０】
2007095619.tif 000012
【図１１】
2007095619.tif 000013